(57)【特許請求の範囲】
【請求項１】
複数個の試料の寿命試験の結果に基づいて、その複数個の試料が適合する第１の分布関数の寿命母集団を決定する寿命母集団決定手段と、
上記寿命母集団のうちから寿命と対応する累積破損確率との組である要素を上記複数個の試料の数と同じ数だけ無作為に抽出して１つの集合とし、この集合作成を複数回繰り返す無作為抽出手段と、
上記無作為抽出手段によって作成された上記複数の集合それぞれから、上記複数個の試料の数と同じ数の上記要素をそれぞれ含む二次標本を求める二次標本算出手段と、
上記複数の二次標本それぞれが適合する第２の分布関数をそれぞれ有する複数の二次推定母集団を決定する二次推定母集団決定手段と、を備え、
上記二次推定母集団決定手段が決定した複数の上記二次推定母集団に基づいて破損確率レベルごとの信頼区間を決定する信頼区間決定手段と
を備えることを特徴とする破壊検査システム。
【請求項２】
請求項１に記載の破壊検査システムにおいて、
上記信頼区間決定手段は、複数の上記破損確率レベルにおける上記複数の二次推定母集団の時間分布をワイブル回帰して、累積確率を求め、その求めた累積確率に基づいて信頼区間を決定することを特徴とする破壊検査システム。
【請求項３】
請求項１または２に記載の破壊検査システムにおいて、
上記第１の分布関数に従う寿命母集団は、有限個の要素からなる寿命母集団であることを特徴とする破壊検査システム。
【請求項４】
請求項１乃至３のいずれか１つに記載の破壊検査システムにおいて、
上記第１の分布関数は、２母数ワイブル分布の分布関数であり、
上記信頼区間決定手段は、上記破損確率レベル毎に存在を算出した要素のうちの９０％の要素が含まれる区間を信頼区間とすることを特徴とする破壊検査システム。
【請求項５】
請求項１乃至４のいずれか１つに記載の破壊検査システムにおいて、
上記第２の分布関数は、２母数ワイブル分布の分布関数であることを特徴とする破壊検査システム。
【請求項６】
請求項１乃至５のいずれか１つに記載の破壊検査システムにおいて、
上記要素は、夫々、一つの軸受に対応させられるものであることを特徴とする破壊検査システム。
【請求項７】
複数個の試料の寿命試験の結果に基づいて、その複数個の試料が適合する第１の分布関数の寿命母集団を決定する寿命母集団決定ステップと、
上記寿命母集団のうちから寿命と対応する累積破損確率との組である要素を上記複数個の試料の数と同じ数だけ無作為に抽出して１つの集合とし、この集合作成を複数回繰り返す無作為抽出ステップと、
上記作成された複数の集合それぞれから、上記複数個の試料の数と同じ数の上記要素をそれぞれ含む二次標本を求める二次標本算出ステップと、
上記複数の二次標本それぞれが適合する第２の分布関数をそれぞれ有する複数の二次推定母集団を決定する二次推定母集団決定ステップと、
上記二次推定母集団決定手段が決定した複数の上記二次推定母集団に基づいて破損確率レベルごとの信頼区間を決定する信頼区間決定ステップと
を備えること特徴とする破壊検査方法。
【請求項８】
複数個の試料の寿命試験の結果に基づいて、その複数個の試料が適合する第１の分布関数の寿命母集団を決定する寿命母集団決定ステップと、
上記寿命母集団のうちから寿命と対応する累積破損確率との組である要素を上記複数個の試料の数と同じ数だけ無作為に抽出して１つの集合とし、この集合作成を複数回繰り返す無作為抽出ステップと、
上記作成された複数の集合それぞれから、上記複数個の試料の数と同じ数の上記要素をそれぞれ含む二次標本を求める二次標本算出ステップと、
上記複数の二次標本それぞれが適合する第２の分布関数をそれぞれ有する複数の二次推定母集団を決定する二次推定母集団決定ステップと、
上記二次推定母集団決定手段が決定した複数の上記二次推定母集団に基づいて破損確率レベルごとの信頼区間を決定する信頼区間決定ステップと
をコンピュータに実行させることを特徴とするデータ処理プログラム。
【請求項９】
請求項８に記載のデータ処理プログラムが記録されていることを特徴とするコンピュータ読出し可能なプログラム記録媒体。
【発明の詳細な説明】
【技術分野】
【０００１】
本発明は、破壊検査システムに関し、例えば、機械部品等の破壊の検査を行う破壊検査システムに関する。また、本発明は、破壊検査方法、データ処理プログラムおよびプログラム記録媒体に関する。
【背景技術】
【０００２】
従来、軸受の破壊寿命の信頼区間を求める方法としては、非特許文献１（Koyo Engineering Journal N0. 130 (1986)）に記載されている方法がある。この方法は、寿命データを統計処理するもので、転がり軸受の寿命分布として、次の数式１に示すワイブル分布を仮定する。
【数１】
0005895396.tif 000002
【０００３】
ここで、ｘは、軸受寿命であり、上記θ、ｍは、定数パラメータである。上記方法は、その数式１から導かれる次の寿命の数式２に基づいて、信頼区間を求めるものである。
【数２】
0005895396.tif 000003
【０００４】
詳細に述べると、無限個数のデータからなる母集団を考え、その中からランダムにｎ個のデータを抽出し、そのデータを小さい順に並びかえたとき、母関数の確率密度ｇ（ｚ）と、累積分布関数Ｇ（ｚ）が与えられたとすれば、ｋ番目にあたるデータｚ（ｋ）が、任意の微小空間（ｚ，ｚ＋Δｚ）に入る確率ｈ（ｚ）は、多項定理により次の数式３から導かれる。
【数３】
0005895396.tif 000004
【０００５】
ここで、Ｇ（ｚ）と、ｇ（ｚ）との関係は、次の数式４で与えられる。
【数４】
0005895396.tif 000005
【０００６】
ここで、データを取り出した母関数が、区間（０，１）において一様分布であれば、ｇ（ｚ）＝１であり、数式４から、Ｇ（ｚ）＝ｚになる。したがって、これを、数式３に代入することにより、次の数式５が導かれる。
【数５】
0005895396.tif 000006
【０００７】
ｋ番目にあたるデータｚ（ｋ）の分布が、数式５で与えられたとき、ｚ（ｋ）の累積分布関数は、次の数式６で与えられる。
【数６】
0005895396.tif 000007
【０００８】
したがって、数式５を、数式６に代入して、次の式７が導出される。
【数７】
0005895396.tif 000008
【０００９】
ここから、ｋ番目にあたるデータｚ（ｋ）が１００（１−α）％の範囲に収まる区間を計算する。具体的には、信頼区間の下限は、次の数式８で求める。
【数８】
0005895396.tif 000009
【００１０】
また、信頼区間の上限は、次の数式９で求める。
【数９】
0005895396.tif 000010
【００１１】
そして、数式８で求めた下限ｚα／２（ｋ）を数式２に代入して、次の数式１０で示される下限を求める。
【数１０】
0005895396.tif 000011
【００１２】
また、数式８で求めた上限ｚ１−α／２（ｋ）を数式２に代入して、次の数式１１で示される上限を求める。従来の方法は、このようにして、信頼区間を求めるようになっている。
【数１１】
0005895396.tif 000012
【００１３】
尚、数式１より、以下の数式１２が導かれる。したがって、縦軸を、ｌｎｌｎ１／〔１−Ｆ（ｘ）〕とし、横軸を、ｌｎｘとすると、式１１は、Ｙ＝ｍＸ＋ａ（ａは定数）となるから、図化すると、図１７に示すように、全てのワイブル分布は、勾配ｍの直線として表される。このように、縦軸がｌｎｌｎ１／〔１−Ｆ（ｘ）〕で、横軸がｌｎｘであるグラフは、ワイブル確率紙と呼ばれている。図１８は、数式１０、１１に基づくワイブル確率紙上における信頼区間を示す図である。
【数１２】
0005895396.tif 000013
【００１４】
尚、数式６は、確率密度であるから全領域にわたって積分すると、Ｈｋ（ｚ）＝１となるが、メジアンランクｚｍ（ｋ）は、次の式１３を解いたときのｚの値であり、分布を等分するｚの値をさす。
【数１３】
0005895396.tif 000014
【００１５】
ここで、数式１３の近似解としては、次の数式１４が知られている。
【数１４】
0005895396.tif 000015
【先行技術文献】
【非特許文献】
【００１６】
【非特許文献１】寿命データの統計処理（Koyo Engineering Journal N0. 130 (1986) 47）
【発明の概要】
【発明が解決しようとする課題】
【００１７】
上記従来の方法では、信頼区間を求める数式８、９に、試料数ｎと順序番号ｋに関する組合せnC○が含まれているため、整数以外の順序番号が生じる中途打切りを含む標本に対しては、この方法で信頼区間を求めることができないという問題がある。
【００１８】
また、中途打切りを含む標本に対する信頼区間の計算方法として、全数破損のときの順序統計量から比例補間して求める方法や、複雑な統計理論を駆使した方法も提案されているが、従来理論との不整合などの問題がある。
【００１９】
すなわち、従来、信頼区間を簡易かつ適正に算出できる確立した破壊検査システムが存在せず、信頼区間の評価を、簡易かつ適正に行うシステムは知られていない。
【００２０】
そこで、本発明の課題は、信頼区間を簡易かつ適正に算出できる破壊検査システム、破壊検査方法、データ処理プログラムおよびプログラム記録媒体を提供することにある。
【課題を解決するための手段】
【００２１】
上記課題を解決するため、この発明の破壊検査システムは、
複数個の試料の寿命試験の結果に基づいて、その複数個の試料が適合する第１の分布関数の寿命母集団を決定する寿命母集団決定手段と、
上記寿命母集団のうちから寿命と対応する累積破損確率との組である要素を上記複数個の試料の数と同じ数だけ無作為に抽出して１つの集合とし、この集合作成を複数回繰り返す無作為抽出手段と、
上記無作為抽出手段によって作成された上記複数の集合それぞれから、上記複数個の試料の数と同じ数の上記要素をそれぞれ含む二次標本を求める二次標本算出手段と、
上記複数の二次標本それぞれが適合する第２の分布関数をそれぞれ有する複数の二次推定母集団を決定する二次推定母集団決定手段と、を備え、
上記二次推定母集団決定手段が決定した複数の上記二次推定母集団に基づいて破損確率レベルごとの信頼区間を決定する信頼区間決定手段と
を備えることを特徴としている。
【００２２】
尚、無作為抽出手段が、無作為抽出する要素の数を、試料の数と一致させる理由は、抽出される二次標本のばらつきが、試料数に依存するためであり、寿命試験の試料数と異なる数の要素から二次標本を作ると、寿命試験で得た標本とは，異なる性質のものになってしまうためである。
【００２３】
本発明者は、後述するように、モンテカルロ法により、標本抽出のシミュレーションを繰り返した結果、母集団から抽出される標本のばらつきが、母集団を推定母集団に置き換えて確率論から算出される信頼区間にほぼ一致することを見出した。
【００２４】
また、この結果を応用し、仮想の母集団からの標本抽出で得られる二次推定母集団のばらつきによって、信頼区間をおおむね推定可能であることを確認した。
【００２５】
本発明によれば、寿命母集団決定手段が、現実に試験が行われた複数個の試料の寿命試験の結果に基づいて、その複数個の試料が適合する第１の分布関数の寿命母集団からなる推定母集団を決定できる。また、無作為抽出手段が、上記寿命母集団のうちから上記複数個の要素を無作為抽出することができて、二次標本算出手段が、無作為抽出手段によって無作為抽出された複数の要素に基づいて寿命母集団から複数の要素からなる二次標本を求めることができる。また、信頼区間決定手段が、上記二次標本算出手段が算出した複数の上記二次標本に基づいて破損確率レベルごとの信頼区間を決定することができる。したがって、本発明によれば、上記寿命母集団からの標本抽出で得られる二次標本のばらつきによって、適正な信頼区間を求めることができる。
【００２６】
また、本発明によれば、無作為抽出のシミュレーションで抽出データのばらつきを評価することができるから、理論式が適用できない中途打ち切りデータを含む標本の信頼区間を推定できる。
【００２８】
本発明者は、二次標本から二次推定母集団を求めた上で、その求めた二次推定母集団に基づいて信頼区間を求めると、二次標本そのものに基づいて、信頼区間を求めた場合と比較して、低破損確率での信頼性が高くなることを確かめた。
【００２９】
上記実施形態によれば、上記二次推定母集団手段が、決定した二次推定母集団に基づいて、信頼区間を求めることができるから、信頼区間の低破損確率での信頼性を高くすることができる。
【００３０】
また、一実施形態では、
上記信頼区間決定手段は、複数の上記破損確率レベルにおける上記複数の二次推定母集団の時間分布をワイブル回帰して、累積確率を求め、その求めた累積確率に基づいて信頼区間を決定する。
【００３１】
順序統計量は、順序番号によって分布の形が大きく異なる。そのため、時間軸方向に変換した信頼区間も同様に分布の形は順序番号によって異なるはずであり、これを模擬した各破損確率レベルの二次標本あるいは二次推定母集団の分布も様々な形の分布となり得る。ここで、各破損確率レベルの二次推定母集団の分布に対しても、あらゆる形の分布に柔軟に対応できるワイブル分布を適用すると、データのバラツキを適正に評価できる。
【００３２】
上記実施形態によれば、信頼区間決定手段が、複数の破損確率レベルにおける複数の二次推定母集団の時間分布をワイブル回帰して、累積確率を求め、その求めた累積確率に基づいて信頼区間を決定するから、推定された寿命母集団の信頼区間を正しく評価できて、例えば、軸受等の耐久性を正確に把握することができ、適正品質の製品設計、選定を行うことができる。
【００３３】
また、一実施形態では、
上記第１の分布関数に従う寿命母集団は、有限個の要素からなる寿命母集団である。
【００３４】
母集団のサイズを無限大として、母集団を例えば２母数ワイブル分布を仮定して、無作為抽出される寿命のばらつきを模擬する場合、０や無限大に極端に近い寿命が出現する場合があるが、この場合、実際よりも寿命のばらつきを過大に評価してしまう。一方、例えば、ワイブル分布で整理される転がり軸受等の寿命において、０や無限大に極端に近い寿命は、実際には観測されない。
【００３５】
上記実施形態によれば、第１の分布関数に従う寿命母集団は、有限個の要素からなる寿命母集団であって、サイズが無限大の寿命母集団でないから、寿命が０や無限大に極端に近いデータが発生することを防止できる。したがって、信頼性が担保された寿命推定が可能になり、過剰な安全性を適用することなく、適正品質の軸受設計、選定が可能になる。
【００３６】
また、一実施形態では
上記第１の分布関数は、２母数ワイブル分布の分布関数であり、
上記信頼区間決定手段は、上記破損確率レベル毎に存在を算出した要素のうちの９０％の要素が含まれる区間を信頼区間とする。
【００３７】
上記実施形態によれば、第１の分布関数が、適用範囲が広い２母数ワイブル分布の分布関数であって、破損確率レベル毎に存在を算出した要素のうちの９０％の要素が含まれる区間を信頼区間とするから、信頼性が高い信頼区間を算出できる。
【００３８】
また、一実施形態では、
上記第２の分布関数は、２母数ワイブル分布の分布関数である。
【００３９】
上記実施形態によれば、上記第２の分布関数は、適用範囲が広い２母数ワイブル分布の分布関数であるから、信頼性が高い信頼区間を算定できる。
【００４２】
また、一実施形態では、
上記要素は、夫々、一つの軸受に対応させられるものである。
【００４３】
上記実施形態によれば、軸受寿命の信頼区間を簡単かつ適正に求めることができる。
【００４４】
また、本発明の破壊検査方法は、
複数個の試料の寿命試験の結果に基づいて、その複数個の試料が適合する第１の分布関数の寿命母集団を決定する寿命母集団決定ステップと、
上記寿命母集団のうちから寿命と対応する累積破損確率との組である要素を上記複数個の試料の数と同じ数だけ無作為に抽出して１つの集合とし、この集合作成を複数回繰り返す無作為抽出ステップと、
上記作成された複数の集合それぞれから、上記複数個の試料の数と同じ数の上記要素をそれぞれ含む二次標本を求める二次標本算出ステップと、
上記複数の二次標本それぞれが適合する第２の分布関数をそれぞれ有する複数の二次推定母集団を決定する二次推定母集団決定ステップと、
上記二次推定母集団決定手段が決定した複数の上記二次推定母集団に基づいて破損確率レベルごとの信頼区間を決定する信頼区間決定ステップと
を備えること特徴としている。
【００４５】
また、本発明のデータ処理プログラムは、
複数個の試料の寿命試験の結果に基づいて、その複数個の試料が適合する第１の分布関数の寿命母集団を決定する寿命母集団決定ステップと、
上記寿命母集団のうちから寿命と対応する累積破損確率との組である要素を上記複数個の試料の数と同じ数だけ無作為に抽出して１つの集合とし、この集合作成を複数回繰り返す無作為抽出ステップと、
上記作成された複数の集合それぞれから、上記複数個の試料の数と同じ数の上記要素をそれぞれ含む二次標本を求める二次標本算出ステップと、
上記複数の二次標本それぞれが適合する第２の分布関数をそれぞれ有する複数の二次推定母集団を決定する二次推定母集団決定ステップと、
上記二次推定母集団決定手段が決定した複数の上記二次推定母集団に基づいて破損確率レベルごとの信頼区間を決定する信頼区間決定ステップと
をコンピュータに実行させることを特徴としている。
【００４６】
また、本発明のコンピュータ読出し可能なプログラム記録媒体は、
本発明のデータ処理プログラムが記録されている。
【発明の効果】
【００４７】
本発明の破壊検査システム、破壊検査方法、データ処理プログラムおよびプログラム記録媒体によれば、推定された寿命母集団の信頼区間を正しく評価できて、軸受等の耐久性を正確に把握することができ、適正品質の製品設計、選定を実現できる。
【図面の簡単な説明】
【００４８】
【図１】本発明の一実施形態の破壊検査システムのブロック図である。
【図２】ＣＰＵおよびその周辺部の諸機能を表すブロック図である。
【図３】寿命母集団決定部が、決定した２母数ワイブル分布で表された第１の分布関数の一例を示す図である。
【図４】仮想母集団から抽出した２０組の二次標本（枠外の一点は、Ｆ＝６.６９６７％、ｘ＝０.００９５）をワイブル確率紙上にプロットした図である。
【図５】各組の二次標本から求めた二次推定母集団の寿命を示す図である。
【図６】各破損確率における二次標本の分布を示す図である。
【図７】各破損確率における二次推定母集団の分布を示す図である。
【図８】二次標本分布から推定した信頼区間を示す図である。
【図９】二次推定母集団から推定した信頼区間を示す図である。
【図１０】仮定した母集団の寿命分布（θ＝１０、ｍ＝１.５、Ｎ＝１０００）を示す図である。
【図１１】表２の標本の寿命分布と推定母集団を示す図である。
【図１２】表1の母集団から試料数１０の標本を２０回抽出した結果（黒三角の標本でＦ=６.６９６７％の寿命は０.０７８３（プロット省略））を示す図である。
【図１３】図１２の２０組の標本から求めた推定母集団を示す図である。
【図１４】母集団を試料数１０の推定母集団と仮定して求めた信頼区間と、標本データとの比較を示す図である。
【図１５】母集団を試料数１０の推定母集団と仮定して求めた信頼区間と、標本から求めた推定母集団との比較を示す図である。
【図１６】表２の標本に対する２０組の二次推定母集団と確率論に基づく信頼区間を示す図である。
【図１７】ワイブル確率紙の原理を示す図である。
【図１８】ワイブル確率紙上における信頼区間を示す図である。
【発明を実施するための形態】
【００４９】
以下、本発明を図示の形態により詳細に説明する。
【００５０】
図１は、本発明の一実施形態の破壊検査システムのブロック図である。
【００５１】
この破壊検査システムは、制御装置１と、操作部２と、表示部３とを有し、制御装置１は、ＣＰＵ（Central Processing Unit）１０と、プログラムおよびデータを格納するメモリ１１と、各部とデータを入出力するためのＩ／Ｆ（Interface）１２とを備える。
【００５２】
上記ＣＰＵ１０は、操作部２および表示部３の夫々と、Ｉ／Ｆ１２を介してデータを入出力するようになっている。
【００５３】
図２は、ＣＰＵ１０およびその周辺部の諸機能を表すブロック図である。
【００５４】
図２に示すように、ＣＰＵ１０には、寿命母集団決定部２１と、無作為抽出部２２と、二次標本算出部２３と、信頼区間決定部２４とが形成されるようになっており、信頼区間決定部２４には、二次推定母集団決定部２５と、累積確率算出部２６とが形成されるようになっている。上記各部２１〜２６は、適宜メモリ１１にアクセスでき、メモリ１１に収納されている計算プログラムを用いることができるようになっている。
【００５５】
図２に示すように、上記操作部２で入力された情報は、寿命母集団決定部２１に出力されるようになっている。また、上記信頼区間決定部２４からディスプレイ等で構成される表示部３に信号が出力されるようになっている。
【００５６】
上記構成において、このシステムは、以下のように信頼区間を決定するようになっている。上記寿命母集団決定部２１は、ユーザが操作部２を介して入力した１０個の軸受の寿命試験の結果を表す信号を受けるようになっている。１０個の軸受は、複数個の試料を構成している。上記寿命母集団決定部２１は、得られた推定母集団と同じ母数を持つ、多数の構成要素からなる母集団（仮想母集団）を仮定するようになっている。この実施形態では、上記寿命母集団決定部２１は、寿命を、Ｘ軸とし、累積破損確率（破損確率レベル）Ｆを、Ｙ軸とする、ワイブル確率紙上における、上記１０個の試料の寿命の測定点から、周知の手段、例えば、最小２乗法や重み付き最小２乗法を用いて、ワイブル確率紙上における回帰直線を求めるようになっている。
【００５７】
また、上記寿命母集団決定部２１は、その回帰直線のデータから、仮想母集団の構成要素数が有限の１００００個であるとした場合の、その回帰直線を表す２母数ワイブル分布の特性寿命の推定値θと、ワイブル勾配の推定値ｍとを求める。上記寿命母集団決定部２１は、このようにして、求めたθとｍとの値を有する２母数ワイブル分布で表された第１の分布関数としての寿命母集団（仮想母集団）を決定するようになっている。
【００５８】
図３は、上記寿命母集団決定部２１が、決定した２母数ワイブル分布で表された第１の分布関数の一例を示す図である。図３に示す例では、回帰直線で表される推定母集団は、θの値が、１３.７１で、ｍが、ｍ＝１.３１６と決定されている。
【００５９】
上記無作為抽出部２２は、乱数を用いたモンテカルロ法を用いて、1から１００００の整数の中から、上記寿命試験が施された軸受の数と同一の１０個の順序番号をランダムに選び出すようになっている。
【００６０】
上記二次標本算出部２３は、寿命母集団決定部２１および無作為抽出部２２からの信号を受けるようになっている。上記二次標本算出部２３は、無作為抽出部２２からの情報に基づいて、無作為抽出シミュレーションを行って、寿命母集団決定部２１が決定した仮想母集団から寿命試験と同じ試料数の標本（二次標本）を繰り返し抽出するようになっている。
【００６１】
この実施形態では、上記二次標本算出部２３は、無作為抽出部２２が抽出した１０個の要素を、順序番号の短い順に並べ替え、各メジアンランクを数式１４から近似的に求めると共に、求めた各メジアンランクを、数式２のＦ（ｔ）に代入して、各要素に対する寿命を求めるようになっている。このようにして、各順序番号の寿命と、各順序番号のメジアンランクで近似される累積破損確率との組からなる要素を、１０個算出する。この１０個の要素は、二次標本を構成している。
【００６２】
上記二次推定母集団決定部２５は、二次標本に基づいて、周知の手段、例えば、最小２乗法や重み付き最小２乗法を用いて、ワイブル確率紙上における二次標本の回帰直線を求めるようになっている。また、上記二次推定母集団決定部２５は、その回帰直線から第２の分布関数としての２母数ワイブル分布の分布関数を有する二次推定母集団を算出するようになっている。
【００６３】
この実施形態では、上記二次推定母集団決定部２５は、無作為抽出部２２が抽出した２０組の１０個の要素に基づいて、２０組の二次推定母集団を算出するようになっている。
【００６４】
上記累積確率算出部２６は、複数の破損確率レベルにおける２０組の二次推定母集団の時間分布をワイブル回帰して、累積確率を求めるようになっている。詳しくは、上記累積確率算出部２６は、先ず、二次推定母集団決定部２５が求めた２０組の二次推定母集団のワイブル確率紙上での、横軸を構成する各累積破損確率との交点を、異なる１０の累積破損確率（破損確率レベル）の夫々について求めるようになっている。
【００６５】
図４は、この実施形態において、２０組の二次標本をワイブル確率紙上にプロットした図であり、図５は、この実施形態において、二次推定母集団決定部２５が求めた２０組の二次推定母集団のワイブル確率紙上での、横軸を構成する各累積破損確率との交点をプロットした図である。
【００６６】
この実施形態では、上記累積確率算出部２６は、異なる１０の累積破損確率（破損確率レベル）の夫々における二次推定母集団の時間分布に基づいて各破損確率レベルで累積確率の分布を求め、その時間分布および累積確率の分布を２母数ワイブル回帰して、その回帰直線を求めると共に、累積確率を求めるようになっている。
【００６７】
図６は、破損確率レベルにおける二次標本の分布を２母数ワイブル回帰した結果であり、図中のプロットの記号は、図４に対応している。また、図７は、破損確率レベルにおける二次推定母集団の分布を２母数ワイブル回帰した結果であり、図中のプロットの記号は、図５に対応している。
【００６８】
図６では、極端に寿命の短い一点（ｘ＝０.００９５）のため、Ｆ＝６.６９６７％の分布が他の破損確率の分布と大きく異なっている。これに対し、二次推定母集団を用いた場合は、図７に示すように、破損確率が高くなるほど、ばらつきが徐々に小さくなる一様な傾向が認められる。
【００６９】
上記信頼区間決定部２４は、累積確率算出部２６が求めた各破損確率レベルでの回帰直線が、累積確率５％および９５％と交わる点によって信頼限界を推定するようになっている。このようにして、破損確率レベル毎に存在を算出した要素のうちの９０％の要素が含まれる区間を決定するようになっている。
【００７０】
図８は、図６において、夫々の破損確率における回帰直線が、累積確率５％および９５％と交わる点によって信頼限界を推定した結果を示す図である。また、図９は、図７において、夫々の破損確率における回帰直線が、累積確率５％および９５％と交わる点によって信頼限界を推定した結果を示す図である。
【００７１】
図６において、ばらつきが特に大きかった二次標本分布によるＦ＝６.６９６７％の推定値は、下側限界、上側限界とも理論値と大きく離れている。これに対し、図７の二次推定母集団による推定では、推定可能な破損確率の全域で、比較的良好に信頼区間を推定できていることがわかる。
【００７２】
以上、簡単にまとめると、本実施形態は、以下の（ａ）、（ｂ）、（ｃ）のプロセスにより、信頼区間を良好に推定した。すなわち、（ａ）それぞれの二次標本をもとに、二次推定母集団を算出した。（ｂ）各破損確率における二次推定母集団の寿命値の分布を２母数ワイブル回帰した。（ｃ）ワイブル回帰した各破損確率の分布において、累積確率が５％と９５％の寿命値をそれぞれ下側信頼限界、上側信頼限界とした。
【００７３】
尚、図８を参照して、二次標本をそのまま用いて信頼区間を推定した場合に、低破損確率で認められた理論値との乖離は、短寿命データの影響を受けやすいことを示唆している。これは、今回の検討における二次標本の抽出回数が２０回と少ないために、特に顕著に表れたものと考えられる。実用化に際しては、二次標本をそのまま用いる方が、二次推定母集団の計算時間が不要になる分、有利である。このように、本発明では、二次標本をそのまま用いて信頼区間を算出しても良く、上述の理論値との乖離は十分な抽出回数を設定することで緩和することができる。
【００７４】
以下、上記実施形態のシステムの信頼区間の特定についての信頼性について検討する。先ず、無作為抽出した標本の特性について検討する。
【００７５】
ある母集団から試料数ｎの標本を無作為に繰り返し抽出した場合に、抽出された標本がどのような特性を持つのかを数値シミュレーションによって確認する。このような標本抽出は、通常の寿命試験の手順と同様である。ただし、寿命試験による母集団推定においては、（すべての軸受を壊さない限り）真の母集団が未知であるのに対し、数値シミュレーションでは母集団を既知として扱えるため、抽出した標本と母集団の関係を定量的に把握することができる。
【００７６】
次にシミュレーションの手順について説明する。
【００７７】
先ず、母集団の仮定を行う。詳しくは、寿命のばらつきが、特性寿命θ、ワイブル勾配ｍの2母数ワイブル分布に完全に適合するＮ個の要素（例えば軸受）からなる母集団を仮定する。母集団における順序番号iの要素（Ｎ個中、寿命の短い方からi番目の要素）のメジアンランクは、上記数式１４により次の数式１５ように算出される。
［数１５］
0005895396.tif 000016
【００７８】
また、上式を２母数ワイブル分布（数式１、２）に代入することにより，i番目の要素の寿命が以下の数式１６ように算出される。
［数１６］
0005895396.tif 000017
ここで、
0005895396.tif 000018
【００７９】
このように、母集団の寿命分布の母数と構成要素の数を仮定することにより、すべての構成要素の寿命を既知として扱うことができる。例として、特性寿命θ＝１０、ワイブル勾配m＝１.５のN＝１０００個で構成される母集団のメジアンランクと寿命の一部を表１に示す。
【００８０】
【表１】
0005895396.tif 000019
【００８１】
図１０は、仮定した母集団の寿命分布（θ＝１０、m＝１.５、N＝１０００の例）を示す図である。
【００８２】
図１０に示すように、仮定した表1の母集団をワイブル確率紙にプロットすると、一直線上の点群となる。
【００８３】
次に、母集団からの標本抽出について説明する。分布が既知の母集団から無作為抽出するシミュレーションには、一般に分布関数の逆関数を用いて発生させた乱数が用いられている。ここでは、現実の寿命試験により近いシンプルな方法として、母集団の構成要素の数を有限として、その中から無作為に○○番目の要素を抜き取るという手順を模擬する。つまり、構成要素Nが１０００個であれば、１から１０００の整数の中から、所定の個数（試料数ｎ）の順序番号を選び出す方法である。以下の表２は、表１の母集団から１０個を無作為に抽出した標本の一例である。
【００８４】
【表２】
0005895396.tif 000020
【００８５】
次に、標本データの整理について説明する。抽出したｎ個の試料を寿命の短い順に並べ替え、母集団中の順序番号から数式１５によってメジアンランクを割り付け直し、さらに、数式１６によって寿命を計算する。これにより、無作為抽出したｎ個の試料による推定母集団が得られる。表２の標本における各試料の寿命を表３に示す。図１１は、これらの寿命データをワイブル確率紙にプロットし、２母数ワイブル回帰した結果を示す図である。
【００８６】
【表３】
0005895396.tif 000021
【００８７】
次に標本抽出の繰り返しについて説明する。詳しくは、以上の標本抽出と標本データの整理を同じ母集団から繰り返し行うことにより、抽出される標本がどのようにばらつくのかを把握する。図１２は、表２に例示した表１の母集団からの標本抽出を２０回繰り返した結果ある。また、図１３は、２０組の標本それぞれを２母数ワイブル回帰して得られた推定母集団である。これらの図からわかるように、無作為抽出された標本は、母集団を取り巻くようにばらついている。
【００８８】
続いて、抽出した標本と、母集団の関係について説明する。図１３では、累積破損確率５０〜８０%の範囲において、時間軸方向の推定母集団のばらつきが狭く、そこから高破損確率側あるいは低破損確率側に離れるほど、ばらつきの幅が広くなっている。この傾向は、信頼区間の振る舞いと定性的に類似している。
【００８９】
そこで、母集団を同じ母数（θとｍ）を持つ試料数１０の推定母集団と仮定し、数式８−１１において、転がり軸受の分野で一般に用いられている危険率ａ＝０.１とおいた以下の数式１７、１８で表す信頼区間、すなわち、９０％信頼区間の計算式によって算出した信頼区間を、図１４および１５において、図１２および図１３の結果と比較した。
［数１７］
0005895396.tif 000022
［数１８］
0005895396.tif 000023
【００９０】
図１４より、それぞれの破損確率レベルにおける２０個のプロットのうち０〜３個が母集団の信頼区間よりも外側に位置していることがわかる。このことから、それぞれの破損確率において試料の９０％（標本数が２０組であれば、１８個）が含まれる範囲は、母集団の９０％信頼区間の近似になっている。
【００９１】
また、図１５に示すように、標本データから求めた推定母集団との比較では、破損確率が４０〜８０％の範囲を除いて、２０組中の２組の推定母集団が、母集団の信頼区間よりも外側に位置しており、図１４の結果と同様に、それぞれの破損確率における推定寿命の９０％が含まれる範囲によって、母集団の９０％信頼区間がほぼ近似できている。
【００９２】
したがって、分布が既知の母集団から無作為に抽出した標本の特性と、本来は意味を持たない母集団に対する信頼区間との比較から、抽出される標本の９０％が含まれる範囲によって、母集団の信頼区間が近似できることが確認された。
【００９３】
したがって、この得られた知見を逆説的に応用することにより、寿命試験によって得られた推定母集団に対する信頼区間の推定を、
1）先ず得られた推定母集団と同じ母数を持つ、多数の構成要素からなる母集団を仮定する（仮想母集団と呼ぶ）、
2）次に、無作為抽出のシミュレーションによって，仮想母集団から寿命試験と同じ試料数の標本（二次標本と呼ぶ）を繰り返し抽出する、
3）各破損確率レベルにおける二次標本の時間分布における累積確率５％と９５％の時間に挟まれる範囲を、９０％の信頼区間の近似値とする、
という手順で行えば、信頼区間の信頼性が得られることになる。
【００９４】
図１６は、表２に示した試料数１０の推定母集団（θ=13.71，ｍ =1.316）に対して、上述の手順を適用した例を示す図である。図中の黒丸は、抽出した２０組の各二次標本において、２母数ワイブル回帰により求めた二次推定母集団上の寿命である。なお、仮想母集団の構成要素数は１００００とした。
【００９５】
図１６によれば、ほとんどの破損確率レベルにおいて、２０個中、長寿命側に１個、短寿命側に１個のプロットが確率論に基づく信頼区間から外れていることがわかる。逆に言うと、二次標本の９０％が含まれる範囲が確率論に基づく信頼区間と定性的に一致している。この結果から、上述の手順によって推定母集団に対する信頼区間のシミュレーションが成立することを確認できた。
【００９６】
上記実施形態の破壊検査システムによれば、寿命母集団決定部２１が、現実に試験が行われた１０個の試料の寿命試験の結果に基づいて、その１０個の試料が適合する２母数ワイブル分布の分布関数の寿命母集団からなる推定母集団を決定できる。また、上記無作為抽出部２２が、上記寿命母集団のうちから１０個の要素を無作為抽出することができて、二次標本算出部２３が、無作為抽出部２２によって無作為抽出された１０個の要素に基づいて寿命母集団から１０個の要素からなる二次標本を求めることができる。また、信頼区間決定部２４が、上記二次標本算出部２３が算出した２０の二次標本に基づいて破損確率レベルごとの信頼区間を決定することができる。したがって、上記寿命母集団からの標本抽出で得られる二次標本のばらつきによって、適正な信頼区間を求めることができる。
【００９７】
また、上記実施形態の破壊検査システムによれば、無作為抽出のシミュレーションで抽出データのばらつきを評価することができるから、理論式が適用できない中途打ち切りデータを含む標本の信頼区間を推定できる。
【００９８】
また、上記実施形態の破壊検査システムによれば、上記二次推定母集団決定部２５が、決定した二次推定母集団に基づいて、信頼区間を求めることができるから、信頼区間の低破損確率での信頼性を高くすることができる。
【００９９】
また、上記実施形態の破壊検査システムによれば、信頼区間決定部２４が、累積確率算出部２６を有して、複数の破損確率レベルにおける複数の二次推定母集団の時間分布をワイブル回帰して、累積確率を求め、その求めた累積確率に基づいて信頼区間を決定するから、推定された寿命母集団の信頼区間を正しく評価できる。そして、軸受等の耐久性を正確に把握することができて、適正品質の製品設計、選定を行うことができる。
【０１００】
また、上記実施形態の破壊検査システムによれば、第１の分布関数である２母数ワイブル分布の関数に従う寿命母集団は、１００００の要素からなる寿命母集団であって、サイズが無限大の寿命母集団でないから、寿命が０や無限大に極端に近いデータが発生することを防止できる。したがって、信頼性が担保された寿命推定が可能になり、過剰な安全性を適用することなく、適正品質の軸受設計、選定が可能になる。
【０１０１】
また、上記実施形態の破壊検査システムによれば、第１の分布関数が、適用範囲が広い２母数ワイブル分布の分布関数であって、破損確率レベル毎に存在を算出した要素のうちの９０％の要素が含まれる区間を信頼区間とするから、信頼性が高い信頼区間を算出できる。
【０１０２】
また、上記実施形態の破壊検査システムによれば、第２の分布関数が、適用範囲が広い２母数ワイブル分布の分布関数であるから、信頼性が高い信頼区間を算定できる。
【０１０３】
また、上記実施形態の破壊検査システムによれば、要素は、夫々、一つの軸受に対応させられるものであるから、軸受寿命の信頼区間を簡単かつ適正に求めることができる。
【０１０４】
尚、上記実施形態の破壊検査システムでは、寿命母集団決定部２１が、１０個の試料の寿命試験結果に基づいて寿命母集団を決定したが、この発明では、寿命母集団決定手段は、１０個以外の複数個の試料の寿命試験結果に基づいて寿命母集団を決定しても良い。
【０１０５】
また、上記実施形態の破壊検査システムでは、検査対象が、軸受であったが、この発明では、検査対象は、軸受に限らず、一方クラッチ、ユニバーサルジョイント、十字継手、ハブユニット、パックシール等の密封装置、プーリ、トルクリミッタ、圧延機、ターボチャージャ、ポンプ、タイヤ、注射器等であっても良い。この発明では、検査対象は、寿命が存在する如何なる製品であっても良い。
【０１０６】
また、上記実施形態の破壊検査システムでは、第１の分布関数および第２の分布関数が、２母数ワイブル分布の分布関数であったが、この発明では、第１の分布関数および第２の分布関数のうちの少なくとも一方は、３母数ワイブル分布の分布関数、対数正規分布の分布関数、指数分布の分布関数、２項分布の分布関数、ポアソン分布の分布関数、多項分布の分布関数、超幾何分布の分布関数、多次元正規分布の分布関数等、２母数ワイブル分布の分布関数以外の如何なる分布関数であっても良い。破壊検査が行われる対象は、その対象によって適切に従う分布関数が異なるが、本願で開示した考えは、如何なる対象（製品）、如何なる分布関数においても、広範的に適用することができるからである。
【０１０７】
また、上記実施形態の破壊検査システムでは、無作為抽出部２２が、寿命母集団のうちから２０組の複数の要素を無作為抽出したが、この発明では、無作為抽出手段は、寿命母集団のうちから複数の要素からなる組を２０回以外の回数で無作為抽出しても良い。
【０１０８】
また、上記実施形態の破壊検査システムでは、寿命母集団決定部２１が、構成要素数が、１００００の寿命母集団を決定したが、この発明では、寿命母集団決定手段は、例えば、１００、１０００、５０００、１５０００等の構成要素からなる寿命母集団を決定しても良く、１００００以外の如何なる複数の構成要素からなる寿命母集団を決定しても良い。
【０１０９】
また、上記実施形態の破壊検査システムでは、信頼区間決定部２４が、二次推定母集団決定部２５を有し、信頼区間決定部２４が、二次推定母集団決定部２５が決定した複数の二次推定母集団に基づいて、破損確率レベルごとの信頼区間を決定するようになっていた。しかしながら、この発明では、二次推定母集団決定手段が存在せず、信頼区間決定手段が、二次標本算出手段が求めた二次標本に基づいて、信頼区間を算出しても良い。例えば、信頼区間決定手段は、累積破損確率と、寿命とのワイブル確率紙上の複数の二次標本のプロット位置において、各累積破損確率において、その各累積破損確率上に存在する二次標本のプロット位置から、信頼区間を決定しても良い。そして、例えば、９０％信頼区間を決定する場合で、２０組の１０個の要素からなる二次標本がワイブル確率紙上プロットされている場合（合計プロット点の数は、２００）、各累積破損確率において、下側信頼限界を１番目の点と２番目の点の中間位置で決定し、上側信頼限界を１９番目の点と２０番目の点の中間位置で決定しても良い。
【０１１０】
また、上記実施形態の破壊検査システムでは、信頼区間決定部２４が、累積確率算出部２６を有し、複数の破損確率レベルにおける複数の二次推定母集団の時間分布をワイブル回帰して、累積確率を求め、その求めた累積確率に基づいて信頼区間を決定するようになっていた。しかしながら、この発明では、信頼区間決定手段は、累積確率算出部を有していなくても良く、信頼区間決定手段は、累積確率を求めずに、二次推定母集団決定手段が決定した複数の二次推定母集団に基づいて、破損確率レベルごとの信頼区間を決定するようになっていても良い。例えば、９０％信頼区間を決定する場合で、２０組の二次推定母集団が求められた場合、信頼区間決定手段は、その２０組の二次推定母集団をワイブル確率紙上での軌跡を算出し、各累積破損確率での２０本の二次推定母集団との交点を算出し、各累積破損確率において、下側信頼限界を１番目の交点と２番目の交点の中間位置で決定し、上側信頼限界を１９番目の交点と２０番目の交点の中間位置で決定しても良い。
【０１１１】
また、上記実施形態の破壊検査システムでは、第１の分布関数に従う寿命母集団が、有限個の要素からなる寿命母集団であったが、この発明では、第１の分布関数に従う寿命母集団は、無限個の連続要素からなる母集団であっても良い。
【０１１２】
また、上記実施形態の破壊検査システムでは、上記信頼区間決定部２４が、破損確率レベル毎に存在を算出した要素のうちの９０％の要素が含まれる区間を信頼区間とするようになっていた。しかしながら、この発明では、信頼区間決定部手段は、例えば、破損確率レベル毎に存在を算出した要素のうちの５０％、６０％、７０％、８０％、９５％の要素が含まれる区間を信頼区間とする等、信頼区間決定部手段は、破損確率レベル毎に存在を算出した要素のうちの９０％以外の数の要素が含まれる区間を信頼区間とするようになっていても良い。
【０１１３】
また、上記実施形態の破壊検査システムでは、上記信頼区間決定部２５が、複数の破損確率レベルにおける二次推定母集団の時間分布をワイブル回帰して、累積確率を求め、その求めた累積確率に基づいて信頼区間を決定するようになっていた。しかしながら、この発明では、二次推定母集団を求めず、二次標本の時間分布を直接ワイブル回帰して、累積確率を求め、その求めた累積確率に基づいて信頼区間を決定するようになっていても良く、この場合、計算時間を大幅に低減できる。
【０１１４】
また、この破壊検査システムの技術的思想および作用効果は、以下の方法の発明、プログラムの発明およびそのプログラムが記録された記録媒体によっても実現できる。
【０１１５】
すなわち、複数個の試料の寿命試験の結果に基づいて、その複数個の試料が適合する第１の分布関数の寿命母集団を決定する寿命母集団決定ステップと、上記寿命母集団のうちから上記複数個の試料の数と同じ数の複数個の要素を無作為抽出する無作為抽出ステップと、上記無作為抽出された複数の要素に基づいて上記寿命母集団から複数の要素からなる二次標本を求める二次標本算出ステップと、上記二次標本算出ステップで算出した複数の上記二次標本に基づいて破損確率レベルごとの信頼区間を決定する信頼区間決定ステップとを備える破壊検査方法によっても実現できる。また、これのステップに加えて、更に、上記破壊検査システムの実施形態および変形例で説明した一以上の部位での計算に対応するステップを行う破壊検査方法によっても実現できる。
【０１１６】
また、複数個の試料の寿命試験の結果に基づいて、その複数個の試料が適合する第１の分布関数の寿命母集団を決定する寿命母集団決定ステップと、上記寿命母集団のうちから上記複数個の試料の数と同じ数の複数個の要素を無作為抽出する無作為抽出ステップと、上記無作為抽出された複数の要素に基づいて上記寿命母集団から複数の要素からなる二次標本を求める二次標本算出ステップと、上記二次標本算出ステップで算出した複数の上記二次標本に基づいて破損確率レベルごとの信頼区間を決定する信頼区間決定ステップとをコンピュータに実行させるデータ処理プログラムによっても実現できる。また、これのステップをコンピュータに実行させることに加えて、更に、上記破壊検査システムの実施形態および変形例で説明した一以上の部位での計算に対応するステップを、コンピュータに実行させるデータ処理プログラムによっても実現できる。また、本発明のデータ処理プログラムが記録されているコンピュータで読出し可能なプログラム記録媒体によっても実現できる。
【０１１７】
以下、最後に、本発明の一側面である、モンテカルロ・シミュレーションによるワイブル分布の信頼区間推定と、そのシミュレーションの成立性について、簡潔にまとめを行う。
【０１１８】
1．問題の所在
転がり軸受などの機械要素や材料の寿命データ解析に、ワイブル回帰による母集団推定が行われることがある。その際、信頼区間によって寿命母集団の推定精度を表すのが一般的である。しかし、確率論から導かれた信頼区間の計算方法は、整数以外の順序番号が発生する中途打切りデータを含む標本には適用できない。この問題を解決できる方法として、数値シミュレーションが考えられる。本発明の一側面では、新たなシミュレーションによる信頼区間推定を提唱する。そして、そのシミュレーションによる信頼区間推定の成立性の客観評価を行う。
【０１１９】
２．確率論に基づく信頼区間の計算方法
先ず、試料数nの全数破損の寿命標本において順序番号j（寿命の短い方からj番目）のデータに対する順序統計量z(j)の累積分布関数G(z)は、次の数式１９で表される。
［数１９］
0005895396.tif 000024
【０１２０】
寿命母集団の推定においては、数式１９でGが0.5となるz〔メディアンランクz0.5(j)〕をjの累積破損確率Fとし、ばらつきを持つzの中央値によって寿命母集団を推定する。それゆえ、寿命母集団の推定精度は、zのばらつきに依存する。転がり軸受の寿命データ解析では、zのばらつきを90%信頼区間で表し、推定精度の指標とする。90%信頼区間は、数式１９でGが0.05となるz〔5%ランク z0.05(j)〕を下側信頼限界とし、Gが0.95となるz〔95%ランクz0.95(j)〕を上側信頼限界として、両者に挟まれる範囲で定義する。これは、累積破損確率の取り得る範囲を表す。ここで、実際に寿命データから得たい情報は、時間軸方向の推定精度であるため、実用的には時間軸に変換した信頼区間を用いる。2母数ワイブル回帰によって得られる推定寿命母集団に対する下側信頼限界時間xL(j)と、上側信頼限界時間xU(j)とは、次の数式２０で計算する。
［数２０］
0005895396.tif 000025
【０１２１】
ここで、θハットは特性寿命（尺度母数）の推定値、ｍハットはワイブル勾配（形状母数）の推定値である。
【０１２２】
3．抽出される標本の性質
母集団から無作為に抽出される標本の寿命分布のばらつきを数値シミュレーションによって確認する。
【０１２３】
3.１  母集団からの無作為標本抽出
特性寿命q、ワイブル勾配mの2母数ワイブル分布に完全に適合する寿命母集団から、試料数nの標本をシミュレーションによって無作為に抽出する。このような既知の母集団からの無作為抽出シミュレーションには、例えば、分布関数の逆関数を用いて発生させた乱数を用いる。ここでは、寿命試験に近い方法として、母集団の要素数Nを有限とし、擬似乱数を使って1からNの順序番号の中からn個を抜き取る手順を採用する。抽出したそれぞれの試料の寿命は、母集団中の順序番号から逆算できる。n個の試料を寿命の短い順に並べ替え、メディアンランクを割り付け直した標本寿命をワイブル回帰することによって、推定寿命母集団を得る。
【０１２４】
図１１は、無作為抽出による推定寿命母集団の一例を示す図であり、q =10、m=1.5、N=1000の寿命母集団から抽出した試料数10の寿命標本、および、これらをワイブル回帰して求めた推定寿命母集団を示す図である。
【０１２５】
上記で説明した、標本抽出と、データ整理とを同じ母集団から繰り返し行うことにより、抽出される標本の寿命分布がどのようにばらつくのかを把握することができる。図１５は、無作為抽出による推定母集団と母集団の信頼区間を示す図であり、上述の寿命母集団からの標本抽出を20回繰り返し、それぞれの標本から推定寿命母集団を求めた結果を示す図である。
【０１２６】
３.２  標本寿命分布のばらつき
図１５においては、上述の寿命母集団を、母数（qとm）が同じn=10の推定寿命母集団に置き換えている。また、図１５には、数式２０によって算出した信頼区間を示している。
【０１２７】
図１５を参照して、破損確率が40〜80%の範囲を除いて、20組中2組（すなわち10%）の推定寿命母集団が、寿命母集団の信頼区間よりも外側に位置している。このことから、推定寿命母集団の90%が含まれる範囲と、寿命母集団の90%信頼区間とは、等価であると推察できる。
【０１２８】
4．推定母集団に対する信頼区間のシミュレーション
上記説明した抽出される標本の性質では、寿命分布が既知の母集団から無作為に抽出された標本の寿命分布のばらつきと、本来は意味を持たない寿命母集団に対する信頼区間とを比較した。そして、抽出される標本の90%を含む範囲が、寿命母集団の信頼区間に相当することを発見し、確認した。
【０１２９】
以下、この知見を実際問題へ適用する。対象とする実際の問題とは、「寿命試験によって得られる推定寿命母集団に対する信頼区間の推定」である。上述の知見をこの問題に置き換えることにより、以下の手順で信頼区間を推定する。
【０１３０】
ａ）まず、寿命試験によって得られた推定寿命母集団と同じ母数を持つ、多数の要素からなる寿命母集団を仮定する（仮想母集団と呼ぶ）。
【０１３１】
ｂ）次に、無作為抽出のシミュレーションによって、仮想母集団から寿命試験と同じ試料数の標本（二次標本と呼ぶ）を繰り返し抽出する。さらに、各二次標本をワイブル回帰し、二次推定母集団を求める。
【０１３２】
ｃ）次に、破損確率レベルごとの二次推定母集団の時間分布において、累積確率が5%および95%となる時間を90%信頼区間の上下限とする。
【０１３３】
図１６は、図１１にｎ＝１０で示した推定寿命母集団（θハットの値が13.71，ｍハットの値が1.316）に対して、上述の手順ａ）,ｂ）を適用した例を示す図である。また、図１６のプロットは、抽出した20組の二次標本から求めた二次推定母集団上の寿命である。なお、手順ａ）での仮想母集団の要素数は、１００００としている。
【０１３４】
図１６では、ほとんどの破損確率レベルにおいて、20個中、長寿命側に1個、短寿命側に1個のプロットが、数式２０（数式２０と数式１８とは同一）で算出した信頼区間から外れている。逆に言うと、二次推定母集団のおよそ90%が含まれる範囲と、確率論に基づく信頼区間とが一致している。
【０１３５】
図７は、上記手順ｃ）において、各破損確率における二次推定母集団の累積確率を求めるため、二次推定母集団の時間分布をワイブル確率紙にプロットした結果を示す図である。また、図９は、図７の各回帰直線における累積確率5%と95%の時間によって求めた信頼区間を示す図である。ここで、図９において、シミュレーションによる上側信頼限界およびシミュレーションによる下側信頼限界は、数式２０で計算されている。
【０１３６】
図７,９に示すように、上述の手法で算出した信頼区間は、数式２０の計算結果を良好に再現している。このことから、本発明の手法によって、信頼性が高い計算を行うことができる。尚、無作為抽出を扱う問題のため、本報と同じ条件で再度シミュレーションを実施しても同じ結果は得られるとは限らない。しかし、二次標本の抽出回数を十分に多くすれば、結果の再現性を高めることができる。
【符号の説明】
【０１３７】
２１  寿命母集団決定部
２２  無作為抽出部
２３  二次標本算出部
２４  信頼区間決定部
２５  二次推定母集団決定部
２６  累積確率算出部
【図１】
0005895396.tif 000026
【図２】
0005895396.tif 000027
【図３】
0005895396.tif 000028
【図４】
0005895396.tif 000029
【図５】
0005895396.tif 000030
【図６】
0005895396.tif 000031
【図７】
0005895396.tif 000032
【図８】
0005895396.tif 000033
【図９】
0005895396.tif 000034
【図１０】
0005895396.tif 000035
【図１１】
0005895396.tif 000036
【図１２】
0005895396.tif 000037
【図１３】
0005895396.tif 000038
【図１４】
0005895396.tif 000039
【図１５】
0005895396.tif 000040
【図１６】
0005895396.tif 000041
【図１７】
0005895396.tif 000042
【図１８】
0005895396.tif 000043